(57)【特許請求の範囲】
【請求項１】
固体撮像素子を内蔵した装置本体に装着され、開口部より取り込んだ光を該固体撮像素子に集光させる集光レンズが設けられた撮像装置用レンズホルダーにおいて、
ホルダー本体の開口周縁部に形成された段差部に接着剤の流出を防止する第１の溝、第２の溝に仕切られて第１、第２の支持部が当該段差部の径方向内側及び外側に形成され第１の支持部の上端部とカバー部材との間に隙間が形成されており、カバー部材が落とし込まれて第２の支持部に接着支持されることを特徴とする撮像装置用レンズホルダー。
【請求項２】
固体撮像素子を内蔵した装置本体に装着され、開口部より取り込んだ光を該固体撮像素子に集光させる集光レンズが設けられた撮像装置用レンズホルダーにおいて、
ホルダー本体の開口周縁部に形成された段差部に接着剤の流出を防止する第１の溝、第２の溝に仕切られて第１、第２の支持部が当該段差部の径方向内側及び外側に形成され第２の支持部の上端部とカバー部材との間に隙間が形成されており、カバー部材が落とし込まれて第１の支持部に接着支持されることを特徴とする撮像装置用レンズホルダー。
【請求項３】
上部開口が形成され、底部に固体撮像素子を内蔵した装置本体と、
装置本体の上部開口に嵌め込まれ、開口部より取り込んだ光を固体撮像素子に集光させる集光レンズが設けられた請求項１又は請求項２のいずれか１項に記載のレンズホルダーを具備したことを特徴とする撮像装置。
【発明の詳細な説明】
【０００１】
【発明の属する利用分野】
本発明は、ＣＣＤ（電荷結合素子）やＣＭＯＳなどの固体撮像素子を内蔵した装置本体に装着され、開口部より取り込んだ光を該固体撮像素子に集光させる集光用レンズを支持した撮像装置用レンズホルダーに関する。
【０００２】
【従来の技術】
近年、情報通信技術の急速な進歩発展によりデータ通信速度の向上やデータ通信量の拡大が実現し、携帯電話やノートパソコンなどのモバイル系の電子機器にはＣＣＤ（電荷結合素子）イメージセンサやＣＭＯＳイメージセンサなどの撮像装置が組込まれているものが普及しつつある。これらは、文字データのほかに撮像装置により撮像した画像データをリアルタイムで送信できるようになっている。
【０００３】
この撮像装置の構成は、ＣＣＤ（電荷結合素子）イメージセンサやＣＭＯＳイメージセンサが実装された回路基板が装置本体内に位置決めされて収容されており、この装置本体にアパーチャや集光レンズが取付けられたレンズホルダーが装着されてなる。図５において、レンズホルダー５１の集光面には、カバーガラス５２が嵌め込まれており、図示しないアパーチャや集光レンズ側に塵が侵入するのを防止している。このカバーガラス５２は、ホルダー本体５３の開口周縁部に設けられた段差部５４に接着剤５５を塗布してカバーガラス５２の周縁部を接着することにより固定されていた。
【０００４】
【発明が解決しようとする課題】
しかしながら、カバーガラス５２を段差部５４に接着する際に、余分な接着剤５５がカバーガラス５２の外周をはいあがってホルダー本体５３及びカバーガラス５２の上面側に流出（オーバーフロー）するおそれがあった。接着剤５５がレンズホルダー５１の上面側に流出して固まると、外観上見栄えがしないうえに商品価値が低下する。また、ＣＭＯＳイメージセンサを用いた場合には、カバーガラス５２に赤外線と可視光の一部を反射する熱線反射フィルム（ＴｉＯ2など金属酸化物を薄膜コート）が貼付けられるが、ガラス上面側にオーバーフローした接着剤５５によりフィルムの反射特性が低下するおそれがあった。また、接着剤５５はホルダー本体５３の開口部側（集光部側）へもオーバーフローするおそれがあった。この場合、オーバーフローした接着剤５５がアパーチャや集光レンズ側へ流出して汚染し、集光時の光学的特性に影響を及ぼすおそれがあった。
【０００５】
本発明の目的は、上記従来技術の課題を解決し、カバー部材をホルダー本体に接着する際の接着剤のオーバーフローを防止可能な撮像装置用レンズホルダーを提供することにある。
【０００６】
【課題を解決するための手段】
上記課題を解決するため、本発明は次の構成を備える。
即ち、固体撮像素子を内蔵した装置本体に装着され、開口部より取り込んだ光を該固体撮像素子に集光させる集光レンズが設けられた撮像装置用レンズホルダーにおいて、ホルダー本体の開口周縁部に形成された段差部に接着剤の流出を防止する第１の溝、第２の溝に仕切られて第１、第２の支持部が当該段差部の径方向内側及び外側に形成され第１の支持部の上端部とカバー部材との間に隙間が形成されており、カバー部材が落とし込まれて第２の支持部に接着支持されることを特徴とする。
或いは、ホルダー本体の開口周縁部に形成された段差部に接着剤の流出を防止する第１の溝、第２の溝に仕切られて第１、第２の支持部が当該段差部の径方向内側及び外側に形成され第２の支持部の上端部とカバー部材との間に隙間が形成されており、カバー部材が落とし込まれて第１の支持部に接着支持されることを特徴とする。
また、撮像装置においては、上部開口が形成され、底部に固体撮像素子を内蔵した装置本体と、装置本体の上部開口に嵌め込まれ、開口部より取り込んだ光を固体撮像素子に集光させる集光レンズが設けられた前記レンズホルダーを具備したことを特徴とする。
【０００７】
【発明の実施の形態】
以下、本発明の好適な実施の形態について添付図面と共に詳述する。
図１は撮像装置用レンズホルダーの一例を示す断面説明図、図２は図１の撮像装置用レンズホルダーの断面斜視図、図３は撮像装置の全体構成を示す説明図、図４は他例に係る撮像装置用レンズホルダーの断面説明図である。
【０００８】
先ず、図３を参照して撮像装置の概略構成について説明する。１は撮像装置であり、携帯電話などの電子機器に装備されている。この撮像装置１の装置本体２の底部には、フレックス基板（例えばポリイミド基板）３が内蔵されている。フレックス基板３には、ＣＣＤ（電荷結合素子）やＣＭＯＳなどの固体撮像素子（センサー素子）４と制御素子５が一体化（スタック）されて或いは別個に搭載されている。６はコンデンサなどの受動素子である。フレックス基板３は、バックプレート（例えばステンレススチール板）７に支持されて装置本体２に対して位置決めされて取り付けられている。
【０００９】
８はレンズホルダーであり、装置本体２の上部開口に形成されたねじ孔部２ａにホルダー本体１２の下部に形成されたねじ部１２ａが嵌め込まれて一体に取付けられている。レンズホルダー８は筒状樹脂（例えばポリカーボネート等）により形成されており、装置本体２内に嵌め込まれる底部開口側にアパーチャ９及び集光レンズ１０が嵌め込まれている。アパーチャ９は、集光レンズ１０を通過する光の通路を規定し、集光レンズ１０はアパーチャ９を通過した光を、センサー素子４の受光部に集光するようになっている。
【００１０】
レンズホルダー８の上部開口側には、円板状のカバーガラス（石英ガラス）１１が嵌め込まれている。カバーガラス１１は、ホルダー本体１２の開口周縁部に形成された段差部１３に接着剤１４にて接着支持されている。カバーガラス１１は、ホルダー本体１２の上部開口よりアパーチャ９及び集光レンズ１０側へ塵が侵入しないように保護している。
【００１１】
ここで、図１及び図２を参照してレンズホルダー８の構成について詳述する。
レンズホルダー８の開口周縁部に形成された段差部１３には、カバーガラス１１を接着支持する第１、第２の支持部１５、１６が径方向内側及び外側形成されている。この第１、第２の支持部１５、１６は、段差部１３に形成された第１、第２の溝１７、１８に仕切られて形成されている。段差部１３の第１の溝１７に仕切られた第１の支持部１５（内側支持部）の上端部とカバーガラス１１との間にはエアーを開口部（集光部）側へ逃すための隙間１９が形成されている。
【００１２】
レンズホルダー８を組立てる場合、底部開口側よりアパーチャ９及び集光レンズ１０を嵌め込んで、上部開口側の段差部１３に接着剤１４を十分塗布して、カバーガラス１１を落とし込んで接着する。このとき、接着剤１４は第１の溝１７や第２の溝１８にも充填される。第２の支持部１６の上面に塗布された余分な接着剤１４は、カバーガラス１１により押圧されてその両側にある第１の溝１７や第２の溝１８へ逃すことができるので、カバーガラス１１の上面側にオーバーフローすることがなく、開口部側（集光部側）にもオーバーフローするおそれはない。また、第１の支持部１５の上端部には隙間１９が形成されているので、第１の溝１７にオーバーフローした接着剤１４が流れ込んだ際に隙間１９を通じてエアーを開口部（集光部）側へ逃がすことができる。
【００１３】
よって、カバーガラス１１の上面や集光部となるアパーチャ９や集光レンズ１０側にオーバーフローした接着剤１４の付着による汚染は生ずるおそれはないので、外観不良や集光時の光学特性が低下することはない。
また、上述した光学特性の良いレンズホルダー８を用いることで、撮像装置１により高品位画像を撮像することが可能になる。
【００１４】
次に、レンズホルダ−８の他例について、図４を参照して説明する。レンズホルダー８の概略構成は図１と同様であるので同一部材には同一番号を付して説明を援用するものとする。
図４において、段差部１３に形成された第１の溝１７と第２の溝１８とで仕切られた第２の支持部（外側支持部）１６の上端部とカバーガラス１１との間には余分な接着剤１４を第１の溝１７或いは第２の溝１８へ逃すための隙間２０が形成されている。
【００１５】
第１の支持部１５及び第２の支持部１６がカバーガラス１１と略面一に突き当たる場合には、仮に第１の溝１７若しくは第２の溝１８に接着剤１４が充満している場合には接着剤１４がカバーガラス１１の上面側若しくは開口部（集光部側）へ溢れ出すおそれがある。しかしながら、第２の支持部１６の上端部とカバーガラス１１との間に隙間２０が存在すれば、余分な接着剤１４は第１の溝１７若しくは第２の溝１８のうち余裕のある方にオーバーフローさせて収容できるので、カバーガラス１１の上面や集光部となるアパーチャ９や集光レンズ１０側にオーバーフローした接着剤１４の付着による汚染は生ずるおそれはなく、したがって、外観不良や集光時の光学特性が低下することはない。
【００１６】
以上、本発明の好適な実施例について種々述べてきたが、本発明は上述した各実施例に限定されるのものではなく、例えば、カバーガラス１１を接着支持する段差部１３には、接着支持部の両側に溝があれば更に複数の溝が形成されていても良く、また、カバーガラス１１の材質や形状は任意である。また、レンズホルダー８の装置本体２に対する組み付けはねじ嵌合に限らず他の方式でも良い等、発明の精神を逸脱しない範囲で多くの改変を施し得るのはもちろんである。
【００１７】
【発明の効果】
本発明に係るレンズホルダーを用いれば、カバー部材を接着剤が塗布された段差部に落とし込んで接着すると、オーバーフローした余分な接着剤は第１の溝や第２の溝へ逃すことができるので、カバー部材の上面側にオーバーフローすることがなく、開口部側（集光部側）にもオーバーフローするおそれはない。また、第１の支持部の上端部には隙間が形成されているので、第１の溝にオーバーフローした接着剤が流れ込んだ際に隙間を通じてエアーを開口部側（集光部側）へ逃がすことができる。
よって、カバー部材の上面や集光部となるアパーチャや集光レンズ側にオーバーフローした接着剤の付着による汚染は生ずるおそれはないので、外観不良や集光時の光学特性が低下することはない。
また、第２の支持部の上端部とカバー部材との間に隙間が存在すれば、余分な接着剤は第１の溝若しくは第２の溝のうち余裕のある方にオーバーフローさせて収容できるので、カバー部材の上面や開口部（集光部）側へオーバーフローするのを防止できる。
また、上述した光学特性の良いレンズホルダーを用いることで、撮像装置において高品位画像を撮像することが可能になる。
【図面の簡単な説明】
【図１】撮像装置用レンズホルダーの一例を示す断面説明図である。
【図２】図１の撮像装置用レンズホルダーの断面斜視図である。
【図３】撮像装置の全体構成を示す説明図である。
【図４】他例に係る撮像装置用レンズホルダーの断面説明図である。
【図５】従来のレンズホルダーの構成を示す説明図である。
【符号の説明】
１  撮像装置
２  装置本体
３  フレックス基板
４  センサー素子
５  制御素子
６  受動素子
７  バックプレート
８  レンズホルダー
９  アパーチャ
１０  集光レンズ
１１  カバーガラス
１２  ホルダー本体
１３  段差部
１４  接着剤
１５  第１の支持部
１６  第２の支持部
１７  第１の溝
１８  第２の溝
１９、２０  隙間
【図１】
0003650594.tif 000002
【図２】
0003650594.tif 000003
【図３】
0003650594.tif 000004
【図４】
0003650594.tif 000005
【図５】
0003650594.tif 000006